(57)【特許請求の範囲】
【請求項１】
固定筒の周面に回転自在に設けられた調整環を回転させて、該調整環にネジ係合されたカム筒を前記固定筒に対して前後移動させることにより、該カム筒に係合された光学系全体を撮像面に対して光軸方向に前後移動させてフランジバック調整を行うレンズ鏡筒において、
前記固定筒の外周面に突出して形成されたフランジと、
前記フランジの外周面に周方向に沿って形成されたガイド溝と、
前記フランジの端面から軸方向に沿って形成され、前記ガイド溝に連通された入口溝と、
前記調整環の内周面に突出して形成され、前記入口溝を介して前記ガイド溝に嵌入され、該ガイド溝内を摺動して前記調整環の周方向の回転をガイドするとともに、前記調整環の軸方向への移動を規制する摺動子と、
前記調整環の外周面から内周面に貫通して形成されるとともに、前記摺動子と異なる位置に形成されたピン孔と、
前記ピン孔を介して前記ガイド溝に嵌入され、前記摺動子が前記入口溝から抜けるのを防止するピンと、
を備えたことを特徴とするレンズ鏡筒。
【請求項２】
固定筒の周面に回転自在に設けられた調整環を回転させて、該調整環にネジ係合されたカム筒を前記固定筒に対して前後移動させることにより、該カム筒に係合された光学系全体を撮像面に対して光軸方向に前後移動させてフランジバック調整を行うレンズ鏡筒において、
前記固定筒の外周面に突出して形成されたフランジと、
前記フランジの外周面に周方向に沿って形成されたガイド溝と、
前記フランジの端面から軸方向に沿って形成され、前記ガイド溝に連通された入口溝と、
前記調整環の内周面に突出して形成され、前記入口溝を介して前記ガイド溝に嵌入され、該ガイド溝内を摺動して前記調整環の周方向の回転をガイドするとともに、前記調整環の軸方向への移動を規制する摺動子と、
前記調整環の周面に沿って外周面から内周面に貫通して形成されるとともに、前記入口溝よりも幅広に形成されたスリットと、
前記スリットを介して前記ガイド溝の前記入口溝側に嵌入され、前記摺動子が前記入口溝から抜けるのを防止する板材と、
を備えたことを特徴とするレンズ鏡筒。
【発明の詳細な説明】
【０００１】
【発明の属する技術分野】
本発明はレンズ鏡筒に係り、特に固定筒に設けられた調整環を回転操作することにより、フランジバック長の調整が可能なレンズ鏡筒に関する。
【０００２】
【従来の技術】
複数の部品から構成されるレンズ鏡筒は組み立てると、各部品精度のバラツキなどによって、フランジバック長が設計値からずれる場合がある。このため、レンズ鏡筒は、その組立工程の段階でフランジバック長の調整が行われる。
【０００３】
このようなフランジバック長の調整方法として、従来、カム筒にネジ係合させた調整環を固定筒に設け、この調整環を回動操作することによって、光学系全体を撮像面に対して前後移動させてフランジバック長を調整する方法がある。この方法の場合、固定筒に設けた調整環の軸方向のズレを防止しながらを回動自在に支持する必要があり、従来は実開昭６４−３８６１１号公報に開示されているように、固定筒の周面にＣリングを取り付けて調整環の軸方向のズレを規制していた。あるいは、調整環の一部を切り欠き、固定筒の周面に形成した溝部に嵌め込むことによって、軸方向のズレを規制していた。また、別の方法として、カム筒の端面をバネで軸方向に付勢することにより、固定筒の先端面に形成したフランジの端面に調整環を押圧して、軸方向の移動を規制していた。
【０００４】
【発明が解決しようとする課題】
しかしながら、従来のように、Ｃリングで軸方向の移動を規制する方法では、部品点数が増え、また、組み立ても面倒になるという欠点がある。また、調整環の一部を切り欠く方法では、調整環にガタ等が生じやすいという欠点がある。さらに、また、バネで軸方向に付勢する方法では、調整位置によってバネ力が大幅に変化してしまうという欠点があった。この結果、バネ力が強すぎる場合には作動不良が生じ、弱すぎる場合には、光学系の繰り出し抵抗に負けてピントズレが生じるという欠点があった。
【０００５】
本発明はこのような事情に鑑みてなされたもので、動作不良を起こさず簡単な構成で調整環を支持できるレンズ鏡筒を提供することを目的とする。
【０００６】
【課題を解決するための手段】
請求項１に係る発明は、前記目的を達成するために、固定筒の周面に回転自在に設けられた調整環を回転させて、該調整環にネジ係合されたカム筒を前記固定筒に対して前後移動させることにより、該カム筒に係合された光学系全体を撮像面に対して光軸方向に前後移動させてフランジバック調整を行うレンズ鏡筒において、前記固定筒の外周面に突出して形成されたフランジと、前記フランジの外周面に周方向に沿って形成されたガイド溝と、前記フランジの端面から軸方向に沿って形成され、前記ガイド溝に連通された入口溝と、前記調整環の内周面に突出して形成され、前記入口溝を介して前記ガイド溝に嵌入され、該ガイド溝内を摺動して前記調整環の周方向の回転をガイドするとともに、前記調整環の軸方向への移動を規制する摺動子と、前記調整環の外周面から内周面に貫通して形成されるとともに、前記摺動子と異なる位置に形成されたピン孔と、前記ピン孔を介して前記ガイド溝に嵌入され、前記摺動子が前記入口溝から抜けるのを防止するピンと、を備えたことを特徴とするレンズ鏡筒を提供する。
【０００７】
本発明によれば、調整環は、その内周面に形成された摺動子が、フランジの外周面に形成されたガイド溝内を摺動することにより、固定筒の外周面を摺動自在に支持される。この際、摺動子は、フランジの端面に形成された入口溝を介してガイド溝内に嵌入されるが、摺動子が入口溝の位置にきた時は、ピンがガイド溝に係合するので抜けを防止できる。
【０００８】
また、請求項２に係る発明は前記目的を達成するために、固定筒の周面に回転自在に設けられた調整環を回転させて、該調整環にネジ係合されたカム筒を前記固定筒に対して前後移動させることにより、該カム筒に係合された光学系全体を撮像面に対して光軸方向に前後移動させてフランジバック調整を行うレンズ鏡筒において、前記固定筒の外周面に突出して形成されたフランジと、前記フランジの外周面に周方向に沿って形成されたガイド溝と、前記フランジの端面から軸方向に沿って形成され、前記ガイド溝に連通された入口溝と、前記調整環の内周面に突出して形成され、前記入口溝を介して前記ガイド溝に嵌入され、該ガイド溝内を摺動して前記調整環の周方向の回転をガイドするとともに、前記調整環の軸方向への移動を規制する摺動子と、前記調整環の周面に沿って外周面から内周面に貫通して形成されるとともに、前記入口溝よりも幅広に形成されたスリットと、前記スリットを介して前記ガイド溝の前記入口溝側に嵌入され、前記摺動子が前記入口溝から抜けるのを防止する板材と、を備えたことを特徴とするレンズ鏡筒を提供する。
【０００９】
本発明によれば、調整環は、その内周面に形成された摺動子が、フランジの外周面に形成されたガイド溝内を摺動することにより、固定筒の外周面を摺動自在に支持される。この際、摺動子は、フランジの端面に形成された入口溝を介してガイド溝内に嵌入されるが、摺動子がガイド溝内に嵌入された後、ガイド溝内に入口溝よりも幅広の板材が嵌入されるので抜けを防止できる。
【００１０】
【発明の実施の形態】
以下、添付図面に従って本発明に係るレンズ鏡筒の好ましい実施の形態について詳説する。
【００１１】
図１は、本発明に係るレンズ鏡筒の第１の実施の形態を示す側面断面図である。同図に示すように、本実施の形態のレンズ鏡筒１０は、固定筒１２、第１移動筒１４、第２移動筒１６、カム筒１８及び調整環２０で構成されている。
【００１２】
固定筒１２は、円筒状に形成されている。この固定筒１２の基端部内周にはＣＣＤ保持枠２２が一体成形されており、このＣＣＤ保持枠２２にＣＣＤ２３が保持されている。また、この固定筒１２の周面には、軸線方向に沿って３本の直進溝２４が等間隔に形成されており（１本のみ図示）、各直進溝２４は固定筒１２の外周面から内周面に貫通して形成されている。
【００１３】
第１移動筒１４は、円筒状に形成されており、固定筒１２内を光軸に沿って前後移動自在に設けられている。この第１移動筒１４の内周部には第１レンズ枠２６が一体成形されており、この第１レンズ枠２６に第１レンズ群２８が保持されている。また、この第１移動筒１４の基端部外周には、３本の第１カムピン３０が等間隔に配設されており（１本のみ図示）、各第１カムピン３０は固定筒１２に形成された直進溝２４に嵌入されている。
【００１４】
第２移動筒１６は、円筒状に形成されており、第１移動筒１４内を光軸に沿って前後移動自在に設けられている。この第２移動筒１６の内周部には第２レンズ枠３２が一体成形されており、この第２レンズ枠３２に第２レンズ群３４が保持されている。また、この第２移動筒１６の基端部外周には、３本の第２カムピン３６が等間隔に配設されており（１本のみ図示）、各第２カムピン３６は固定筒１２に形成された直進溝２４に嵌入されている。
【００１５】
カム筒１８は、円筒状に形成されており、固定筒１２の外周を回動自在に設けられている。このカム筒１８の内周面には、第１カム溝３８と第２カム溝４０とが形成されており、それぞれ第１移動筒１４に形成された第１カムピン３０と第２移動筒１６に形成された第２カムピン３６が嵌入されている。また、このカム筒１８の基端部外周にはギア部４２が形成されており、カム筒１８は、このギア部４２に図示しない駆動源から回転力が伝達されて回転する。そして、このカム筒１８が回転することにより、第１移動筒１４と第２移動筒１６とが光軸に沿って前後移動する。
【００１６】
調整環２０は、リング状に形成されており、固定筒１２の先端部外周に回動自在に設けられている。
【００１７】
ここで、固定筒１２の先端部外周には、図２及び図３（図２は図３の２−２断面に相当）に示すように、第１フランジ４４と第２フランジ４６とが階段状に形成されている。調整環２０は、この２つのフランジのうち後段の第２フランジ４６の外周に嵌め込まれて回動自在に支持されている。この第２フランジ４６の外周面には周方向に沿ってガイド溝４８が形成されている。また、その端面には光軸方向に沿って３つの入口溝５０ａ、５０ｂ、５０ｃが等間隔に形成されている。各入口溝５０ａ、５０ｂ、５０ｃは、ガイド溝４８と同じ深さをもって所定の幅で形成されており、それぞれガイド溝４８に連通されている。
【００１８】
一方、調整環２０の内周部には、３つの摺動子５２ａ、５２ｂ、５２ｃが等間隔に形成されている。各摺動子５２は、それぞれガイド溝４８の幅とほぼ同じ厚さを持って形成されており、また、入口溝５０ａ、５０ｂ、５０ｃと略同じ幅をもって形成されている。
【００１９】
また、調整環２０には、２つの摺動子５２ａ、５２ｂの中間位置にピン孔５４が形成されており、ピン孔５４は調整環２０の外周面から内周面に貫通して形成されている。このピン孔５４には、調整環２０を固定筒１２に装着した後、ピン５６が圧入され、圧入されたピン５６は、その先端部が調整環２０の内周面から突出してガイド溝４８に嵌入される。これにより、調整環２０の抜けが防止される。
【００２０】
すなわち、調整環２０は、固定筒１２に装着する際、固定筒１２の基端部側から固定筒１２の外周に嵌め込み、その内周部に形成された３つの摺動子５２ａ、５２ｂ、５２ｃを第２フランジ４６の端面に形成された入口溝５０ａ、５０ｂ、５０ｃからガイド溝４８に嵌入して固定筒１２の外周面に装着されるが、この状態のままでは摺動子５２が入口溝５０ａ、５０ｂ、５０ｃの位置にきた際、摺動子５２が入口溝５０ａ、５０ｂ、５０ｃから外れ、調整環２０が軸方向に移動するおそれがある。
【００２１】
そこで、調整環２０を固定筒１２に装着した後、すなわち、調整環２０の内周部に形成された３つの摺動子５２ａ、５２ｂ、５２ｃを第２フランジ４６の端面に形成された入口溝５０ａ、５０ｂ、５０ｃからガイド溝４８に嵌入した後、ピン孔５４にピン５６を圧入し、そのピン５６の先端部をガイド溝４８に嵌入させる。
【００２２】
ここで、このピン孔５４は、上記のように２つの摺動子５２ａ、５２ｂの中間位置に形成されているので、たとえ摺動子５２ａ、５２ｂ、５２ｃが入口溝５０ａ、５０ｂ、５０ｃの位置にきたとしても、ピン５６がガイド溝４８に係合しているため、調整環２０が抜けることはない。したがって、調整環２０は軸方向の移動を規制されながら周方向にのみ回転する。
【００２３】
なお、調整環２０の外周面には、周方向に沿って所定深さのカバー取付溝５８が所定の幅をもって形成されており、ピン５６の圧入後、このカバー取付溝５８にカバー６０が取り付けられる。カバー６０は、プラスチック等の弾性変形可能な材質のものでＣリング状に形成されており、このカバー６０を取り付けることで、ピン孔５４に圧入されたピン５６の上面が抑えられ、ピン孔５４からの抜けが防止される。
【００２４】
以上のようにして固定筒１２に装着される調整環２０の基端部側内周面には、雌ネジ部６２が形成されており、この雌ネジ部６２は、カム筒１８の先端に形成された雄ネジ部６４に螺合される。そして、このように雄ネジ部６４と雌ねじ部６２とが螺合された状態で調整環２０を回転させると、カム筒１８が光軸に沿って前後移動し、このカム筒１８に係合された第１移動筒１４と第２移動筒１６とが前後移動して、光学系全体がＣＣＤ２３の撮像面に対して前後移動する。
【００２５】
以上のように構成された本実施の形態のレンズ鏡筒１０の作用は次のとおりである。
【００２６】
上述したように、調整環２０は固定筒１２の外周部に装着する際、固定筒１２の基端部側から固定筒１２の外周に嵌め込む。そして、その内周部に形成された３つの摺動子５２ａ、５２ｂ、５２ｃを第２フランジ４６の端面に形成された入口溝５０ａ、５０ｂ、５０ｃからガイド溝４８内に嵌め込んで固定筒１２に装着する。この後、ピン孔５４にピン５６を圧入し、そのピン５６の先端をガイド溝４８に嵌入して、カバー６０を取り付ける。
【００２７】
これにより、調整環２０は、軸方向の移動を規制されながら、固定筒１２の周面を周方向にのみ回動自在に支持される。すなわち、調整環２０は、その内周部に形成された３つの摺動子５２ａ、５２ｂ、５２ｃがガイド溝４８内を摺動することにより、その摺動子５２ａ、５２ｂ、５２ｃとガイド溝４８とのガイド作用で軸方向の移動を規制されながら周方向に回動自在に支持される。
【００２８】
ここで、ガイド溝４８には、入口溝５０ａ、５０ｂ、５０ｃが形成されているが、摺動子５２ａ、５２ｂ、５２ｃが入口溝５０ａ、５０ｂ、５０ｃの位置にきた時であっても、この場合はピン５６がガイド溝４８に係合するので、摺動子５２ａ、５２ｂ、５２ｃがガイド溝４８から外れることはない。
【００２９】
そして、このように固定筒１２の外周に回動自在に支持された調整環２０の雌ネジ部６２にカム筒１８の先端に形成された雄ネジ部６４を螺合させ、調整環２０を回転させることにより、光学系全体がＣＣＤ２３の撮像面に対して前後移動し、フランジバック長の調整がなされる。
【００３０】
なお、フランジバック長の調整後は雌ネジ部６２と雄ネジ部６４との螺合部分を接着し、ズレ等が生じないようにする。
【００３１】
このように、本実施の形態のレンズ鏡筒１０によれば、簡単な構成で調整環２０の軸方向の移動を規制しながら回転自在に支持することができる。また、従来のようにバネ等を用いる必要がないので、動作不良を起こすこともなく、また、簡単に組み立てることができる。
【００３２】
図４、図５は、それぞれ本発明に係るレンズ鏡筒の第２の実施の形態の要部の構成を示す背面図と断面拡大図である（図４は図５の４−４断面に相当）。なお、上述した第１の実施の形態のレンズ鏡筒１０と同じ構成部材には、同一符号が付されている。
【００３３】
同図に示すように、第２の実施の形態のレンズ鏡筒の調整環２０には、摺動子５２ａ、５２ｂ、５２ｃと同じ間隔で３つのスリット６８ａ、６８ｂ、６８ｃが形成されている。各スリット６８ａ、６８ｂ、６８ｃは、各摺動子５２ａ、５２ｂ、５２ｃの直後の位置に形成されており、所定の幅をもって形成されている。すなわち、固定筒１２の第２フランジ４６の端面に形成された入口溝５０ａ、５０ｂ、５０ｃの幅よりも広い幅をもって形成されている。
【００３４】
各スリット６８ａ、６８ｂ、６８ｃには、それぞれ円弧状に形成された抜け止め板７０ａ、７０ｂ、７０ｃが圧入される。この抜け止め板７０ａ、７０ｂ、７０ｃは、スリット６８ａ、６８ｂ、６８ｃと同じ幅をもって形成されており、スリット６８ａ、６８ｂ、６８ｃに圧入すると、摺動子５２ａ、５２ｂ、５２ｃの背面に密着する。そして、その両側部が摺動子５２ａ、５２ｂ、５２ｃの両側部から突出し、見かけ上、摺動子５２ａ、５２ｂ、５２ｃを拡大する。
【００３５】
なお、スリット６８ａ、６８ｂ、６８ｃの下部は、抜け止め板７０ａ、７０ｂ、７０ｃを圧入しやすくするためにテーパ状に形成されている。
【００３６】
以上のように構成された第２の実施の形態のレンズ鏡筒の作用は次のとおりである。
【００３７】
上述した第１の実施の形態のレンズ鏡筒１０の場合と同様に調整環２０は固定筒１２の基端部側から固定筒１２の外周に嵌め込む。そして、その内周部に形成された３つの摺動子５２ａ、５２ｂ、５２ｃを第２フランジ４６の端面に形成された入口溝５０ａ、５０ｂ、５０ｃからガイド溝４８内に嵌め込んで固定筒１２に装着する。
【００３８】
固定筒１２への装着後、各スリット６８ａ、６８ｂ、６８ｃに抜け止め板７０ａ、７０ｂ、７０ｃを圧入し、カバー６０を取り付ける。スリット６８ａ、６８ｂ、６８ｃに圧入された抜け止め板７０ａ、７０ｂ、７０ｃは、摺動子５２ａ、５２ｂ、５２ｃの背面に密着した状態でガイド溝４８内に嵌入され、摺動子５２ａ、５２ｂ、５２ｃと共にガイド溝４８内を摺動する。
【００３９】
ここで、この抜け止め板７０ａ、７０ｂ、７０ｃは、第２フランジ４６の端面に形成された入口溝５０ａ、５０ｂ、５０ｃよりも幅広に形成されているため、入口溝５０ａ、５０ｂ、５０ｃの位置にきても入口溝５０ａ、５０ｂ、５０ｃから外れることはない。したがって、調整環２０は軸方向の移動が規制された状態で固定筒１２の周面を周方向にのみ回動自在に支持される。
【００４０】
このように、本実施の形態のレンズ鏡筒においても、上述した第１の実施の形態のレンズ鏡筒１０と同様に簡単な構成で調整環２０の軸方向の移動を規制しながら回転自在に支持することができる。また、上記同様にバネ等を用いないので、動作不良を起こすこともなく、また、簡単に組み立てることができる。
【００４１】
【発明の効果】
以上説明したように、本発明によれば、簡単な構成で調整環を周方向にのみ回動自在に支持することができる。また、バネを用いずに調整環を支持するので、動作不良を起こすこともない。
【図面の簡単な説明】
【図１】第１の実施のレンズ鏡筒の側面断面図
【図２】第１の実施の形態のレンズ鏡筒の要部の構成を示す背面図
【図３】第１の実施の形態のレンズ鏡筒の要部の構成を示す断面拡大図
【図４】第２の実施の形態のレンズ鏡筒の要部の構成を示す背面図
【図５】第２の実施の形態のレンズ鏡筒の要部の構成を示す断面拡大図
【符号の説明】
１０…レンズ鏡筒、１２…固定筒、１４…第１移動筒、１６…第２移動筒、１８…カム筒、２０…調整環、２２…ＣＣＤ保持枠、２３…ＣＣＤ、２４…直進溝、２６…第１レンズ枠、２８…第１レンズ群、３０…第１カムピン、３２…第２レンズ枠、３４…第２レンズ群、３６…第２カムピン、３８…第１カム溝、４０…第２カム溝、４２…ギア部、４４…第１フランジ、４６…第２フランジ、４８…ガイド溝、５０ａ、５０ｂ、５０ｃ…入口溝、５２ａ、５２ｂ、５２ｃ…摺動子、５４…ピン孔、５６…ピン、５８…カバー取付溝、６０…カバー、６２…雌ネジ部、６４…雄ネジ部、６８ａ、６８ｂ、６８ｃ…スリット、７０ａ、７０ｂ、７０ｃ…抜け止め板
【図１】
0004110360.tif 000002
【図２】
0004110360.tif 000003
【図３】
0004110360.tif 000004
【図４】
0004110360.tif 000005
【図５】
0004110360.tif 000006